(57)【要約】【課題】無線ＬＡＮ電波のＣＳＩを用いて屋内設備の操作状態を推定する。【解決手段】無線ＬＡＮ電波のＣＳＩを事前に収集して屋内設備の操作によるmotif を発見する探索フェーズと、発見したmotif を用いて屋内設備の操作を検知する推定フェーズとを備え、探索フェーズは、ＣＳＩからドップラー効果を推定し、無線ＬＡＮ受信機の複数の受信アンテナで観測されるＣＳＩの位相差から電波の到来方向を推定するステップ１と、ドップラー効果の時系列データからMatrix profileを計算し、繰り返し生じる類似度が高いドップラー効果の時系列パターンをmotif 候補とするステップ２と、motif 候補と、電波の到来方向の情報とを組み合わせてクラスタリングするステップ３と、電波の一定の到来方向に対して繰り返し発生している類似したドップラー効果の時系列パターンを屋内設備の操作によるmotif として決定するステップ４とを有する。【選択図】  図２
2020085595.tif 000002
【特許請求の範囲】
【請求項１】
屋内に配置された無線ＬＡＮ送信機と無線ＬＡＮ受信機との間で送受信される無線ＬＡＮ電波を分析し、屋内設備の操作によるmotif を推定する屋内状態推定方法において、
前記無線ＬＡＮ電波のチャネル状態情報（以下、ＣＳＩという）を事前に収集して前記屋内設備の操作によるmotif を発見する探索フェーズと、発見したmotif を用いて前記屋内設備の操作を検知する推定フェーズとを備え、
前記探索フェーズは、
前記ＣＳＩからドップラー効果を推定し、前記無線ＬＡＮ受信機の複数の受信アンテナで観測される前記ＣＳＩの位相差から電波の到来方向を推定するステップ１と、
前記ドップラー効果の時系列データからMatrix profileを計算し、繰り返し生じる類似度が高いドップラー効果の時系列パターンをmotif 候補とするステップ２と、
前記motif 候補と、前記電波の到来方向の情報とを組み合わせてクラスタリングするステップ３と、
前記電波の一定の到来方向に対して繰り返し発生している類似したドップラー効果の時系列パターンを前記屋内設備の操作によるmotif として決定するステップ４と
を有することを特徴とする屋内状態推定方法。
【請求項２】
請求項１に記載の屋内状態推定方法において、
前記屋内設備の操作によるmotif をドアの開閉としたときに、
前記ステップ３は、異なるクラスタに属する前記motif 候補が連続して観測されたときに、先に発生したmotif のクラスタを前記ドアの開く操作に対応したクラスタとし、後に発生したmotif のクラスタを前記ドアの閉める操作に対応したクラスタとする
ことを特徴とする屋内状態推定方法。
【請求項３】
屋内に配置された無線ＬＡＮ送信機と無線ＬＡＮ受信機との間で送受信される無線ＬＡＮ電波を分析し、屋内設備の操作によるmotif を推定する屋内状態推定システムにおいて、
前記無線ＬＡＮ電波のチャネル状態情報（以下、ＣＳＩという）を事前に収集して前記屋内設備の操作によるmotif を発見する探索手段と、発見したmotif を用いて前記屋内設備の操作を検知する推定手段とを備え、
前記探索手段は、
前記ＣＳＩからドップラー効果を推定し、前記無線ＬＡＮ受信機の複数の受信アンテナで観測される前記ＣＳＩの位相差から電波の到来方向を推定するＣＳＩ処理手段と、
前記ドップラー効果の時系列データからMatrix profileを計算し、繰り返し生じる類似度が高いドップラー効果の時系列パターンをmotif 候補とするmotif 候補発見手段と、
前記motif 候補と、前記電波の到来方向の情報とを組み合わせてクラスタリングするmotif 候補クラスタリング手段と、
前記電波の一定の到来方向に対して繰り返し発生している類似したドップラー効果の時系列パターンを前記屋内設備の操作によるmotif として決定するmotif 決定手段と
を備えたことを特徴とする屋内状態推定システム。
【請求項４】
請求項３に記載の屋内状態推定システムにおいて、
前記屋内設備の操作によるmotif をドアの開閉としたときに、
前記motif 候補クラスタリング手段は、異なる前記motif 候補が連続して観測されたときに、先に発生したmotif のクラスタを前記ドアの開く操作に対応したクラスタとし、後に発生したmotif のクラスタを前記ドアの閉める操作に対応したクラスタとする構成である
ことを特徴とする屋内状態推定システム。
【発明の詳細な説明】
【技術分野】
【０００１】
本発明は、Ｗi-Ｆi 電波を検出および分析して屋内設備の操作状態を推定する屋内状態推定方法および屋内状態推定システムに関する。
【背景技術】
【０００２】
ドアの開閉など、屋内設備の状態を検知する手法の研究が進んでいる。ドアの開閉検知は、人の侵入を検知する防犯システム、空調・照明の制御のようなホームオートメーション、高齢者の見守り等の幅広い分野に応用できる。これまでの研究ではそれぞれの屋内設備に加速度センサやジャイロセンサ、振動センサ、スイッチセンサを設置し、無線通信によって開閉情報を集約することで実現されてきた（非特許文献１）。しかし、これらの手法は屋内設備それぞれにセンサを設置する必要があり、バッテリの交換やセンサ故障時の取り替え等の点で手間がかかるため、導入・管理コストが大きくなる。
【０００３】
また、近年の無線ＬＡＮの普及により、無線ＬＡＮ機器はオフィスや一般家庭等の様々な屋内環境に設置されているため、無線ＬＡＮ電波は安価に利用できる。屋内設備の操作や人の動き等の環境の変化によって無線ＬＡＮ電波の伝搬に変化が生じるため、無線ＬＡＮ電波の伝搬情報から環境の変化を推定することができる。しかし、屋内環境において、無線ＬＡＮ電波は家具や壁等の様々な障害物に反射・遮蔽されるため、無線ＬＡＮ電波の伝搬は複雑である。これまでの多くの無線ＬＡＮ電波を用いた人の屋内位置推定や行動認識等の研究分野では、環境変化と無線ＬＡＮ電波の伝搬特徴の変化を対応付け、教師あり機械学習を用いて推定が行われてきた。しかし、これらの手法は事前に対象とする環境において多くのラベルが付与された学習データの収集を必要とするため、システム導入時のコストが大きい問題がある。
【０００４】
また、無線ＬＡＮ電波の伝搬情報として、チャネル状態情報（ＣＳＩ：Channel State Information)が屋内環境の状態推定に応用されている。ＣＳＩは、無線ＬＡＮ電波の伝搬損失や反射・回折等のマルチパスの影響による振幅と位相の変化を複素数の絶対値と偏角で表す。このＣＳＩを用いた人の位置推定の研究では、人の動きによるドップラー効果や人に反射した無線ＬＡＮ電波の到来方向を推定することで、事前学習を必要としない位置推定を行っている（非特許文献２）。物体が動くことでその物体に反射した電波の経路長が変化し、受信機で観測されるＣＳＩの位相成分に変化が生じるため、ＣＳＩの位相成分の時間変化から物体の動きによるドップラー効果を推定することができる。また、受信アンテナが直線状に並んでいるようなアンテナアレイを用いることで、電波の到来方向に応じて各受信アンテナで受信される電波の経路長に差が生じるため、各受信アンテナで観測されたＣＳＩを用いてアンテナアレイに対する無線ＬＡＮ電波の到来方向を推定することができる。
【先行技術文献】
【非特許文献】
【０００５】
【非特許文献１】Philipose, M., Fishkin, K. P., Perkowitz, M., Patterson, D. J., Fox, D., Kautz, H. and H  ahnel, D.: Inferring activities from interactions with objects, Pervasive Computing, IEEE, Vol.3, No.4, pp.50-57 (2004).
【非特許文献２】Li, X., Li, S., Zhang, D., Xiong, J., Wang, Y. and Mei, H.: Dynamic-music: accurate device-free indoor localization, Proceedings of the 2016 ACM International Joint Conference on Pervasive and Ubiquitous Computing, pp.196-207 (2016).
【非特許文献３】Yeh, C.-C. M., Zhu, Y., Ulanova, L., Begum, N., Ding, Y., Dau, H. A., Silva, D. F., Mueen, A. and Keogh, E.: Matrix profile I: all pairs similarity joins for time series: a unifying view that includes motifs, discords and shapelets, Proceedings of the 16th International Conference on Data Mining, pp. 1317-1322 (2016).
【発明の概要】
【発明が解決しようとする課題】
【０００６】
しかしながら、ＣＳＩから得られるドップラー効果はドアに限らず様々な物体の動きによって生じるため、推定されたドップラー効果の時間変化から直接ドアの操作を推定することは難しい。しかし、人等の動きと比較し、ドアの開閉操作によるドップラー効果の時間変化は互いに類似していると考えられる。また、ドアの一端は固定されているため、ドアに反射した電波の到来方向も一定である。
【０００７】
本発明は、無線ＬＡＮ電波のＣＳＩを用いて屋内設備の操作状態を推定することができる屋内状態推定方法および屋内状態推定システムを提供することを目的とする。
【課題を解決するための手段】
【０００８】
第１の発明は、屋内に配置された無線ＬＡＮ送信機と無線ＬＡＮ受信機との間で送受信される無線ＬＡＮ電波を分析し、屋内設備の操作によるmotif を推定する屋内状態推定方法において、無線ＬＡＮ電波のチャネル状態情報（以下、ＣＳＩという）を事前に収集して屋内設備の操作によるmotif を発見する探索フェーズと、発見したmotif を用いて屋内設備の操作を検知する推定フェーズとを備え、探索フェーズは、ＣＳＩからドップラー効果を推定し、無線ＬＡＮ受信機の複数の受信アンテナで観測されるＣＳＩの位相差から電波の到来方向を推定するステップ１と、ドップラー効果の時系列データからMatrix profileを計算し、繰り返し生じる類似度が高いドップラー効果の時系列パターンをmotif 候補とするステップ２と、motif 候補と、電波の到来方向の情報とを組み合わせてクラスタリングするステップ３と、電波の一定の到来方向に対して繰り返し発生している類似したドップラー効果の時系列パターンを屋内設備の操作によるmotif として決定するステップ４とを有する。
【０００９】
第１の発明の屋内状態推定方法において、屋内設備の操作によるmotif をドアの開閉としたときに、ステップ３は、異なるクラスタに属するmotif 候補が連続して観測されたときに、先に発生したmotif のクラスタをドアの開く操作に対応したクラスタとし、後に発生したmotif のクラスタをドアの閉める操作に対応したクラスタとする。
【００１０】
第２の発明は、屋内に配置された無線ＬＡＮ送信機と無線ＬＡＮ受信機との間で送受信される無線ＬＡＮ電波を分析し、屋内設備の操作によるmotif を推定する屋内状態推定システムにおいて、無線ＬＡＮ電波のチャネル状態情報（以下、ＣＳＩという）を事前に収集して屋内設備の操作によるmotif を発見する探索手段と、発見したmotif を用いて屋内設備の操作を検知する推定手段とを備え、探索手段は、ＣＳＩからドップラー効果を推定し、無線ＬＡＮ受信機の複数の受信アンテナで観測されるＣＳＩの位相差から電波の到来方向を推定するＣＳＩ処理手段と、ドップラー効果の時系列データからMatrix profileを計算し、繰り返し生じる類似度が高いドップラー効果の時系列パターンをmotif 候補とするmotif 候補発見手段と、motif 候補と、電波の到来方向の情報とを組み合わせてクラスタリングするmotif 候補クラスタリング手段と、電波の一定の到来方向に対して繰り返し発生している類似したドップラー効果の時系列パターンを屋内設備の操作によるmotif として決定するmotif 決定手段とを備える。
【００１１】
第２の発明の屋内状態推定システムにおいて、屋内設備の操作によるmotif をドアの開閉としたときに、motif 候補クラスタリング手段は、異なるmotif 候補が連続して観測されたときに、先に発生したmotif のクラスタをドアの開く操作に対応したクラスタとし、後に発生したmotif のクラスタをドアの閉める操作に対応したクラスタとする構成である。
【発明の効果】
【００１２】
本発明では、ＣＳＩから推定されたドップラー効果の時系列データからMatrix profileを計算することで、繰り返し生じる類似度が高いドップラー効果の時系列パターンをmotif 候補として発見する。そして、発見したmotif 候補を反射波の到来方向情報と組み合わせてクラスタリングし、一定の方向で繰り返し発生している類似したドップラー効果の時系列パターンを屋内設備の操作によるmotif として発見する。
【００１３】
ここで、屋内設備の一例として、内開きと外開きのドアが存在するとき、ドア板のどの方向への移動が開もしくは閉の操作に対応するのか分からない。そこで、一般的なドアにおいては、ドアの開操作が起こった直後に閉操作が起こることが多いことに注目し、異なるmotif が連続して観測された場合、先に発生したmotif のクラスタを「開く操作」に対応付け、後に発生したmotif のクラスタを「閉める操作」に対応付ける。そして、ドアが複数設置されている場合、事前に用意された部屋の間取り図を用いて受信機に対するドアの方向を計算することで、反射波の到来方向からどのドアが開閉されたのかを推定する。これにより、事前の学習データを取得するコストを削減することができる。
【図面の簡単な説明】
【００１４】
【図１】ドアの開閉状態と無線ＬＡＮ電波の伝搬の変化を示す図である。
【図２】探索フェーズの構成例を示す図である。
【図３】内開きのドアを開閉した時のＰ(v) の時間変化の一例を示す図である。
【図４】ドアの開閉操作を繰り返し行った際のMatrix profileを示す図である。
【発明を実施するための形態】
【００１５】
まず、提案手法の基本的な考え方について説明する。
図１は、ドアの開閉状態と無線ＬＡＮ電波の伝搬の変化を示す。
図１において、対象とする屋内に、無線ＬＡＮモジュールを搭載した無線ＬＡＮ送信機１１と無線ＬＡＮ受信機１２がそれぞれ１つ以上設置されていることを想定し、その屋内設備の状態を検知対象とする。以下、屋内設備としてドア１３の開閉状態を検知対象として説明する。
【００１６】
無線ＬＡＮ電波は障害物に当たって反射するため、検知対象となるドア１３の開閉状態によって、検知対象の方向からの電波が変化する。例えば、内開きのドア１３を開いたときには経路長が短くなるため負のドップラー効果が生じ、ドア１３を閉めた時には経路長が長くなるため正のドップラー効果が生じる。
【００１７】
提案手法では、事前に収集したラベルが付与されていないデータからドアの操作状態を示すmotif を発見する探索フェーズと、発見したmotif を用いてドアの操作を検知する推定フェーズから構成される。
【００１８】
図２は、探索フェーズの構成例を示す。
図２において、探索フェーズでは、ＣＳＩ処理手段であるドップラー効果推定部２１と反射波到来方向推定部２２に、無線ＬＡＮ電波の反射波のＣＳＩの時系列データを入力し、ドップラー効果および反射波到来方向を推定する。次に、motif 候補発見部２３は、推定されたドップラー効果からMatrix profile（非特許文献３）または他の方法を用いて、繰り返し発生している類似度の高いパターンをmotif 候補として発見する。ドアは屋内に固定されているため、ドア操作によるドップラー効果は互いの類似度が高いと考えられる。ドアが複数設置されている場合やmotif 候補に人等の動きが含まれることがあるため、motif 候補のクラスタリング部２４では、ドップラー効果の類似度や到来方向の情報を用いてmotif 候補のクラスタリングを行い、motif 決定部２５でドア操作時のmotif を決定する。
【００１９】
ここでは、ＭＵＳＩＣ（MUltiple SIgnal Classification）アルゴリズムを用いてＣＳＩの時系列データからドアの操作によるドップラー効果を推定する例を示すが、他の方法でも構わない。
【００２０】
以下、ドップラー効果推定部２１における(1)前処理および(2)経路長の変化速度推定、motif 候補発見部２３における (3)motif 候補の発見、反射波到来方向推定部２２における(4)反射波の到来方向推定、motif 候補のクラスタリング部２４における(5)motif 候補のクラスタリングの順に説明する。
【００２１】
(1)  前処理
無線ＬＡＮ受信機で観測されるＣＳＩには、直接波等の静的成分と移動している物体に反射した電波による動的成分が存在する。ドップラー効果の推定には動的成分のみ必要であるため、前処理として観測されたＣＳＩから静的成分を除去する。無線ＬＡＮ電波が反射した物体が移動すると無線ＬＡＮ電波の経路長が変化し、ＣＳＩの位相成分に変化が生じる。無線ＬＡＮ電波は屋内の様々なものに反射するため、経路数をＬとし、ｉ番目の経路長の変化速度をｖi とすると、ある時刻からΔｔ後の時刻におけるＣＳＩの値ｈ(Δt)は次式で表される。
【００２２】
【数１】
2020085595.tif 000003
【００２３】
ここで、Ａi はｉ番目の経路の電波の振幅であり、τi はｉ番目の経路の電波の到達時間である。また、ｆは無線ＬＡＮ電波の周波数であり、c は光速である。
【００２４】
しかし、実際は無線ＬＡＮ電波の送受信機が同期していないため、パケットごとにランダムな位相オフセットθ0 が存在する。そのため、ＣＳＩはｈ(Δt)exp(−jθ0)として得られる。そこで、２つのアンテナで観測されるＣＳＩ同士で複素共役乗算を行うことで位相オフセットを相殺する。ｈ1 ，ｈ2 をそれぞれ受信アンテナ１、受信アンテナ２で得られたＣＳＩとすると、複素共役乗算を行ったＣＳＩは
【００２５】
【数２】
2020085595.tif 000004
と表される。各アンテナｉで得られるＣＳＩを直接波等で構成される静的成分ｈsiとドア操作時の反射波等による動的成分ｈmiに分割すると、ｈc は次式で表される。
【００２６】
【数３】
2020085595.tif 000005
【００２７】
式(2) の右辺第一項は静的成分同士の乗算である。ドア操作による動的成分と比べ、直接波等の静的成分の影響は大きいため、ｈc から静的成分（右辺第一項）を減算する必要がある。このとき静的成分として、複数のパケットにわたって観測したｈc の平均値を用いる。式(2) の右辺第四項は動的成分同士の乗算であり、絶対値が小さいことからドップラー効果推定への影響は少ない。このことからｈc から静的成分を減算したｈcmは次式のように近似できる。
【００２８】
【数４】
2020085595.tif 000006
【００２９】
式(3) の右辺第一項、第二項において、ｈm1には求めたい経路長の変化速度ｖi が含まれ、ｈm2には求めたい経路長の変化速度と正負が逆である−ｖi が含まれる。そのため、ｈcmからドップラー効果を求めると、ｖi と−ｖi が得られるため、ドップラー効果の絶対値しか推定することができない。そこで、ｈ1 から定数αを減算し、ｈ2 に定数β2 を加算することで、第二項の影響を小さくし、ｖi を推定しやすくする。
【００３０】
(2)  経路長の変化速度推定
前処理を行ったＣＳＩの値ｈcmに対してＭＵＳＩＣアルゴリズムを適用することで経路長の変化速度ｖi を求める。ＣＳＩはサブキャリアごとに得られるため、ｈcmは１パケットごとにＮs 個得られる。ここで時刻Δt において得られた前処理済みのＣＳＩをサブキャリアごと並べた
【数５】
2020085595.tif 000007
を定義する。ただし、ｈcm(Δt、fi) は周波数ｆi のサブキャリアにおける前処理済みのＣＳＩである。すると、Ｍパケットにわたって観測したＣＳＩの観測行列Ｈは次式で表される。
【００３１】
【数６】
2020085595.tif 000008
【００３２】
無線ＬＡＮ電波の経路数をＬとすると、固有値が大きいＬ個の固有ベクトルが信号部分空間であり、残りのＭ−Ｌ個の固有値に対応する固有ベクトルがノイズ部分空間ＥN である。続いて、ノイズ部分空間ＥN を用いて次式で表されるＰ(v) をｖを変化させながら計算する。
【００３３】
【数７】
2020085595.tif 000009
【００３４】
Ｐ(v) のピークに対応するｖが推定された経路長の変化速度である。しかし、無線ＬＡＮ電波のノイズは大きく、求めたい経路長の変化速度と正負が逆である−ｖi の影響も存在するため、Ｐ(v) のピークに対応するｖの値ではなく、Ｐ(v) の値を用いる。
【００３５】
図３は、内開きのドアを開閉した時のＰ(v) の時間変化の一例を示す。
図３において、ドアを開いた時には経路長が短くなるため負のドップラー効果が生じ、ドアを閉めた時には経路長が長くなるため正のドップラー効果が生じていることがわかる。
【００３６】
(3)  motif 候補の発見
本手順では、Matrix profileを用いて推定されたＰ(v) の時系列データから、繰り返し発生するmotif 候補を発見する。まず、Ｐ(v) の時系列データを窓幅Ｗの時間窓によって分割し、各時間窓同士のユークリッド距離の逆数を類似度として計算することで類似度行列を求める。類似度ｓは次式で表される。
【００３７】
【数８】
2020085595.tif 000010
【００３８】
ここで、Ｐ1(t,v)，Ｐ2(t,v)は類似度計算を行うＰ(v) の時系列データの各時間窓において、時刻ｔにおける速度ｖについて計算したＰ(v) である。類似度行列の各行について対角成分以外の類似度の最大値がMatrix profileである。Matrix profileの値が大きい行（時間窓) はその時系列パターンが２回以上繰り返し発生していることを意味するため、Matrix profileの値が特定のしきい値より大きい時間窓がmotif 候補である。特にドアは反射波の経路長が大きく変化し、部屋内に固定されているため、窓等の他の日常物の操作や椅子等の家具の移動と比較し、ドア開閉時の類似度は大きくなる。
【００３９】
図４は、ドアの開閉操作を繰り返し行った際のMatrix profileを示す。
図４において、各ドア操作の間に、人が部屋内を自由に歩行しているので、人が歩行した時には類似度が小さく、開閉操作を行った時に類似度が大きくなっていることが分かる。
【００４０】
(4)  到来方向推定
まず、パケットごとにランダムな位相オフセットθ0 の除去や、静的成分を除去しドア操作による動的成分を抽出するために、振幅の絶対値が最も大きく、分散が小さい受信アンテナのＣＳＩの複素共役を用いて (1)の前処理を行う。その後、前処理済みのＣＳＩを用いて到来方向を推定する。
【００４１】
無線ＬＡＮ電波の到来方向をθとすると、二つのアンテナ間の電波の位相差Δφは次式で表される。
【００４２】
【数９】
2020085595.tif 000011
【００４３】
ここで、ｄはアンテナ間の距離であり、λは無線ＬＡＮ電波の波長である。そのため複数の受信アンテナで観測されたＣＳＩの位相差から電波の到来方向を推定することができる。しかし、ＣＳＩの位相成分には到来方向の情報だけでなく、上述したドップラー効果の影響や電波の到達時間の影響が存在する。そこで、この三つのパラメータを同時に推定することで、ＣＳＩから到来方向を推定する。ｉ番目の伝搬経路の到来方向、到達時間、経路長の変化速度をそれぞれθi ，τi ，ｖi とする。１番目の受信アンテナ、１番目のサブキャリア、時刻０のＣＳＩを基準として、ｒ番目の受信アンテナ、ｓ番目のサブキャリア、時刻ｔのＣＳＩの値ｈr(r, s, t) は次式で近似される。
【００４４】
【数１０】
2020085595.tif 000012
【００４５】
また、ｆc は無線ＬＡＮ電波の中心周波数であり、ｆδはサブキャリア間の周波数の差である。
【００４６】
簡易化のために
【数１１】
2020085595.tif 000013
とすると、到来方向の推定では次式で表される対数尤度関数が最大になるΘをＥＭアルゴリズムの拡張であるＳＡＧＥ（Space Alternating Generalized Expectation Maximization) アルゴリズムによって求める。
【００４７】
【数１２】
2020085595.tif 000014
推定されたパラメータを用いて計算されたＣＳＩの理論値である。
【００４８】
ＳＡＧＥアルゴリズムではＥステップとＭステップを各伝搬経路について順番に行い、これを収束するまで繰り返す。Ｅステップでは次式によって注目している伝搬経路のＣＳＩの値を計算する。
【００４９】
【数１３】
2020085595.tif 000015
【００５０】
ここで、＾Θは前のステップにおける推定値である。Ｍステップでは次式を用いて注目している伝搬経路のパラメータを最適化する。
【００５１】
【数１４】
2020085595.tif 000016
Ｍはパケット数である。最終的に求められたθi をドアによる反射波の到来方向とする。
【００５２】
(5)  motif 候補のクラスタリング
環境内に複数のドアが存在する場合、(3) において発見したmotif ではどのドアが開閉されたかを見分けることができない。また、人などのドア以外のオブジェクトの動きがmotif として検出されてしまうこともある。一方、ドアは部屋内に固定されているため、ドップラー効果に加えてドア操作時の到来方向の類似度も大きい。そこで、まず類似度が最も大きなmotif と各時間窓の類似度を計算する。そして類似度がしきい値以上の時間窓の中で、到来方向の差がしきい値以下の時間窓の集合を、あるドア操作時の時間窓のクラスタとする。続いてクラスタに選ばれなかった時間窓の内、類似度が最も大きなmotif を用いて同様の処理を行い、新たなクラスタを形成する。上記処理を環境内のドアの数の２倍の回数だけ繰り返し行うことで環境内のドアの開および閉操作ごとにクラスタを作成する。
【００５３】
(4) で推定された到来方向が類似している二つのクラスタが各ドアの開閉に対応していると考えられる。また、ドアの開閉が続いて起こった場合、開いてから閉じるという順番で発生することが多い。そこで、あるドアの開閉が連続して起こったと検出された場合、先に発生したクラタを開く操作に対応したクラスタ、後に発生したクラスタを閉める操作に対応したクラスタとする。
以上が探索フェーズである。
【００５４】
次に、推定フェーズについて説明する。
推定フェーズでは、まず推定用データからドップラー効果と反射波の到来方向を推定する。そして、発見したmotif と推定用データとの間の類似度を計算することで、どのドアがいつ開閉されたのかを推定する。すなわち、推定用データの各時間窓が形成したどのクラスタに属するか、もしくはどのクラスタにも属さないかを求める。そのために、推定用データの時間窓と各クラスタ内の各motif （時間窓) との到来方向の差の平均値を計算し、到来方向の差がしきい値より小さい推定用データの時間窓とクラスタの組み合わせについて、ドップラー効果の距離の平均値を計算する。
【００５５】
ここでドアの開閉にかかる時間のゆらぎに対応するために、motif と推定用データとの間の類似度の距離計算にはＤＴＷ（Dynamic Time Warping）を用いる。そして、平均距離がしきい値より小さいクラスタがあれば、推定用データの時間窓は最も平均距離が近いクラスタに属するとする。また、到来方向の差やドップラー効果の平均距離がしきい値より小さいクラスタが存在しない時間窓はどのクラスタにも属さないとする。これにより、推定用データの時間窓があるクラスタに属すると推定された場合、そのクラスタが対応するドアの操作とドアの位置から、どのドアがいつ開けられたのか、もしくは閉められたのかを推定することができる。
【符号の説明】
【００５６】
１１  無線ＬＡＮ送信機
１２  無線ＬＡＮ受信機
１３  ドア
２１  ドップラー効果推定部
２２  反射波到来方向推定部
２３  motif 候補発見部
２４  motif 候補のクラスタリング部
２５  motif 決定部
【図１】
2020085595.tif 000017
【図２】
2020085595.tif 000018
【図３】
2020085595.tif 000019
【図４】
2020085595.tif 000020